【事件の表示】
　特許第３３９６１２８号に関する訂正審判事件について、次のとおり審決する。
【結　論】
　特許第３３９６１２８号に係る明細書及び図面を本件審判請求書に添付された訂正明細書及び図面のとおり訂正することを認める。
【理　由】
１．手続の経緯
　本件特許第３３９６１２８号の出願についての手続の概要は、以下のとおりである。
　　　
平成　８年　５月１７日　特許出願。
平成１５年　２月　７日　特許権の設定登録（請求項の数５）。
平成１８年　７月２７日　訂正審判請求（訂正２００６−３９１２８号）。平成１８年　９月　１日　訂正審決（訂正認容）。
平成１８年　９月２０日　訂正審決確定登録。
平成１８年１２月１５日　無効審判（無効２００６−８０２６１号）請求。平成１９年　３月２８日　答弁書提出。
平成１９年　７月２０日　第１回口頭審理。無効理由通知。
平成１９年　８月２０日　訂正請求書、意見書提出。
平成１９年１０月１０日　弁駁書提出。
平成２０年　２月　８日　訂正拒絶理由通知。
平成２０年　３月　４日　意見書、手続補正書（訂正請求書）提出。
平成２０年　４月３０日　審決（請求項１ないし５に係る発明についての特　　　　　　　　　　　　許を無効とする。）
平成２０年　５月３１日　知的財産高等裁判所出訴（平成２０年（行ケ）第　　　　　　　　　　　　１０２０８号）。
平成２０年　６月３０日　訂正審判請求（訂正２００８−３９００７２号）　　　　　　　　　　　　。
平成２０年　８月２８日　知的財産高等裁判所決定（審決を取り消す。）。平成２０年１１月　７日　弁駁書（第２回）提出。
平成２０年１２月２５日　訂正拒絶理由通知。
平成２１年　２月　２日　意見書提出。
平成２１年　５月２５日　審決（請求項１ないし５に係る発明についての特　　　　　　　　　　　　許を無効とする。）
平成２１年　７月　３日　知的財産高等裁判所出訴（平成２１年（行ケ）第　　　　　　　　　　　　１０１８１号）。
平成２１年　８月　７日　訂正審判請求（訂正２００９−３９００９７号）　　　　　　　　　　　　。
平成２１年１０月１６日　上申書提出。
　　　
２．請求の趣旨
　本件審判の請求の趣旨は、特許第３３９６１２８号発明の明細書及び図面を、審判請求書に添付した訂正明細書及び図面のとおりに訂正しようとするものであり、その内容は、次のとおりのものである。
訂正事項Ａ
　特許請求の範囲請求項１の「内壁に被係合部が設けられ、」を「内壁に背向して形成される２つの縦溝が設けられ、」に訂正する。
　　　
訂正事項Ｂ
　同上請求項１の「他端に前記被係合部に係合する係合部が設けられた複数の固定具と、」を「他端に前記縦溝に嵌まり込む縦板部が設けられた２つのの固定具と、」に訂正する。
　　
訂正事項Ｃ
　同上請求項１の「前記開口の外周縁部に前記フランジの鍔部を当接させておき、前記支管部の他端側から、前記被係合部に前記係合部を係合させた前記複数の固定具を有する前記内筒の一端部を挿入して、前記複数の固定具の引っ掛け部を前記本管の内周面に引っ掛け、前記締め付け輪を回動させて前記内筒を他端側に変位させて前記フランジと前記本管とを締結させる分岐管の接続装置において、前記係合部は、前記内筒の軸方向を向いた係合面を有する係合凹所を備え、　前記被係合部は、前記係合凹所内を前記内筒の軸方向に摺動する係合部材を備え、　前記係合部材を前記係合凹所に嵌め込み、前記締め付け輪の回動により、前記係合面に対し前記係合部材を前記軸方向に摺動させ、前記被係合部に前記係合部を係合させることを特徴とする」を「前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、前記縦板部の両側面には、それぞれ、前記２本のピンの位置に対応するように２つの係合凹所が形成され、それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、前記スライド部は、前記軸方向を向いた係合面を有し、前記本管の開口の外周縁部に前記フランジの鍔部を当接させておき、前記支管部の他端側から前記内筒の一端部を差し込むとともに、前記固定具の前記入口部に前記内筒の前記ピンを嵌め込んで、前記引っ掛け部を前記本管の内周面の下方に設定し、前記締め付け輪を回動させて前記内筒を他端側に変位させることで、前記係合面に対し前記ピンを前記軸方向に摺動させ、前記ピンを前記スライド部に嵌め込むことを特徴とする」に訂正する。
　　　
訂正事項Ｄ
　同上請求項２の「内壁に被係合部が設けられ、」を「内壁に縦溝が設けられ、」に訂正する。
　　
訂正事項Ｅ
　同上請求項２の「他端に前記被係合部に係合する係合部が設けられた固定具と、」を「他端に前記縦溝に嵌まり込む縦板部が設けられた固定具と、」に訂正する。
　　
訂正事項Ｆ
　同上請求項２の「前記開口の外周縁部に前記フランジの鍔部を当接させておき、前記支管部の他端側から、前記被係合部に前記係合部を係合させた前記複数の固定具を有する前記内筒の一端部を挿入して、まず前記固定引っ掛け部を本管の内周面に引っ掛け、つぎに前記固定具の引っ掛け部を前記本管の内周面に引っ掛け、前記締め付け輪を回動させて前記内筒を他端側に変位させて前記フランジと前記本管とを締結させる分岐管の接続装置において、前記係合部は、前記内筒の軸方向を向いた係合面を有する係合凹所を備え、前記被係合部は、前記係合凹所内を前記内筒の軸方向に摺動する係合部材を備え、前記係合部材を前記係合凹所に嵌め込み、前記締め付け輪の回動により、前記係合面に対し前記係合部材を前記軸方向に摺動させ、前記被係合部に前記係合部を係合させることを特徴とする」を「前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、前記縦板部の両側面には、それぞれ、前記２本のピンの位置に対応するように２つの係合凹所が形成され、それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、前記スライド部は、前記軸方向を向いた係合面を有し、前記本管の開口の外周縁部に前記フランジの鍔部を当接させておき、前記支管部の他端側から前記内筒の一端部を差し込むとともに、前記固定具の前記入口部に前記内筒の前記ピンを嵌め込んで、まず前記固定引っ掛け部を前記本管の内周面に引っ掛け、つぎに前記固定具の引っ掛け部を前記本管の内周面に引っ掛け、前記締め付け輪を回動させて前記内筒を他端側に変位させることで、前記係合面に対し前記ピンを前記軸方向に摺動させ、前記ピンを前記スライド部に嵌め込むことを特徴とする」に訂正する。
　　　
訂正事項Ｇ
　同上請求項３〜５を削除する。
　　　　
訂正事項Ｈ
　特許明細書段落【０００４】の「また、一対の固定具を内筒の他端から挿入して被係合部に係合部を係合させる際に、本管内に固定具を落下させやすい不具合が生じ易い。」を削除する。
　　
訂正事項Ｉ
　同上段落【０００５】の「請求項５に記載の発明の目的は、固定具の取り付け作業が簡単にできる分岐管の接続装置の提供にある。請求項６に記載の発明の目的は、固定具が不要で、部品数の低減と、作業の単純化が可能になる分岐管の接続装置の提供にある。」を削除する。
　　　
訂正事項Ｊ
　同上段落【０００６】の「この発明は、本管に形成された開口に分岐管を接続するための接続装置であって、支管部および該支管部の一端部の外周に形成された鍔部からなるフランジと、内壁に被係合部が設けられ、一端部が前記支管部に差し込まれる内筒と、一端に前記本管の内周面に引っ掛かる引っ掛け部が形成され、他端に前記被係合部に係合する係合部が設けられた一対の固定具と、前記内筒の外周に螺合され、回動により前記内筒を他端側に変位させる締め付け輪とを備え、前記開口の外周縁部に前記フランジの鍔部を当接させておき、前記支管部の他端側から、前記被係合部に前記係合部を係合させた前記一対の固定具を有する前記内筒の一端部を挿入して、前記一対の固定具の引っ掛け部を前記本管の内周面に引っ掛け、前記締め付け輪を回動させて前記内筒を他端側に変位させて前記フランジと前記本管とを締結させる分岐管の接続装置において、前記係合部は、前記内筒の軸方向を向いた係合面を有する係合凹所を備え、前記被係合部は、前記係合凹所内を前記内筒の軸方向に摺動する係合部材を備え、前記係合部材を前記係合凹所に嵌め込み、前記締め付け輪の回動により、前記係合面に対し前記係合部材を前記軸方向に摺動させ、前記被係合部に前記係合部を係合させることを特徴とする。」を「この発明は、本管に形成された開口に分岐管を接続するための接続するための接続装置であって、支管部および該支管部の一端部の外周に形成された鍔部からなるフランジと、内壁に背向して形成される２つの縦溝が設けられ、一端部が前記支管部に差し込まれる内筒と、一端に前記本管の内周面に引っ掛かる引っ掛け部が形成され、他端に前記縦溝に嵌まり込む縦板部が設けられた２つの固定具と、前記内筒の外周に螺合され、回動により前記内筒を他端側に変位させる締め付け輪とを備え、前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、前記縦板部の両側面には、それぞれ、前記２本のピンの位置に対応するように２つの係合凹所が形成され、それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、前記スライド部は、前記軸方向を向いた係合面を有し、前記本管の開口の外周縁部に前記フランジの鍔部を当接させておき、前記支管部の他端側から前記内筒の一端部を差し込むとともに、前記固定具の前記入口部に前記内筒の前記ピンを嵌め込んで、前記引っ掛け部を前記本管の内周面の下方に設定し、前記締め付け輪を回動させて前記内筒を他端側に変位させることで、前記係合面に対し前記ピンを前記軸方向に摺動させ、前記ピンを前記スライド部に嵌め込むことを特徴とする。」に訂正する。
　　
訂正事項Ｋ
　同上段落【０００７】の「この発明では、締め付け輪を回動させると、係合凹所に嵌め込まれた係合部材が、係合面上を内筒の軸方向に摺動して、被係合部に係合部が係合されるため、略Ｌ字形の固定具が拡開するように変形しても、被係合部と係合部の係合が外れることを確実に防止できる。被係合部と係合部とは、内筒の軸方向に２段に形成すると、さらに有効である。なお、３段以上であってもよい。」を「この発明では、締め付け輪を回動させると、係合凹所に嵌め込まれたピンが、係合面上を内筒の軸方向に摺動して、縦溝に縦板部が係合されるため、略Ｌ字形の固定具が拡開するように変形しても、被係合部と係合部の係合が外れることを確実に防止できる。」に訂正する。
　
訂正事項Ｌ
　同上段落【０００８】、【０００９】を削除する。
　　
訂正事項Ｍ
　同上段落【００１４】の「係合部材として、該縦溝５１の側壁に対向して突設した水平方向で周方向の上下２対のピン５２、５２」を「該縦溝５１の側壁に対向して突設した水平方向で周方向の上下２対のピン５２、５２」に訂正する。
　
訂正事項Ｎ
　同上段落【００１６】の「係合部たる縦板部６１の両側面６３、６３」を「縦板部６１の両側面６３、６３」に訂正する。
　
訂正事項Ｏ
　同上段落【００１６】の「両端面６３、６３」を「両側面６３、６３」に訂正する。
　　
訂正事項Ｐ
　同上段落【００２０】の「第２実施例」を「参考例１」に訂正する。
　　
訂正事項Ｑ
　同上段落【００２０】の「係合部材たる２対のピン５２、５２」を「係合部材たる２対のピン５２、５２」を「２対のピン５２、５２」とし、「係合部たる縦板部６１」を「縦板部６１」に訂正する。
　　　
訂正事項Ｒ
　同上段落【００２１】の「第３実施例」を「参考例２」に訂正する。
　　
訂正事項Ｓ
　同上段落【００２１】の「係合部たる縦板部６１」を「縦板部６１」に、「ピン５２を係合部材として列設」を「ピン５２を列設」に訂正する。
　　
訂正事項Ｔ
　同上段落【００２２】の「第４実施例」を「参考例３」に訂正する。
　　
訂正事項Ｕ
　同上段落【００２２】の「係合部たる縦板部６１」を「縦板部６１」に、「係合条６８を係合部材として設けている」を「係合条６８を設けている」に訂正する。
　　　　　
訂正事項Ｖ
　同上段落【００２３】の「第５実施例」を「第２実施例」に訂正する。
　　　　　
訂正事項Ｗ
　同上【図面の簡単な説明】において、「第２実施例」を「参考例１」に、「第３実施例」を「参考例２」に、「第４実施例」を「参考例３」に、「第５実施例」を「第２実施例」に、訂正する。
　　　　　
訂正事項Ｘ
　同上【符号の説明】において、「５１　縦溝、６１　縦板部、　６４　係合凹所」を追加し、「５２　ピン（係合部）」を「５２　ピン」に訂正する。
　　　　　　　
訂正事項Ｙ
　【図９】において、符号を追加する。
　　　　　
３．当審の判断
　そこで、上記訂正事項について検討する。
　　　
（１）訂正の目的の適否
　　　
［訂正事項Ａについて］
訂正事項Ａは、特許明細書段落【００１４】の「内筒３の内周壁には、背向して被係合部５、５が形成されている。被係合部５は、図２に示す如く、本管１０の軸方向に位置する幅の広い縦（筒部の軸方向）溝５１、・・・からなる。」との記載に基づいて、「被係合部」の構成を限定するものであり、特許請求の範囲の減縮を目的とするものである。
　　　　
［訂正事項Ｂについて］
　訂正事項Ｂは、同上段落【００１５】の「固定具６は、係合部であって縦溝５１に嵌まり込む縦板部６１と、」の記載、及び【図１】、【図２】の記載に基づいて係合部の構成を限定するものであり、特許請求の範囲の減縮を目的とするものである。
　　　
［訂正事項Ｃについて］
訂正事項Ｃの「前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、」は、同上段落【００１６】の「係合部たる縦板部６１の両側面６３、６３には、中間部および下端部に、内筒３の軸方向に摺動する係合部材である２対のピン５２、５２に対応して、」の記載及び【図２】の記載に基づいて、
　また、同上「前記縦板部の両側面には、それぞれ、前記２本のピンの位置に対応するように２つの係合凹所が形成され、それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、前記スライド部は、前記軸方向を向いた係合面を有し、」は、同上段落【００１８】の「内筒３の下端部３１を支管部２１に差し込むとともに、係合凹所６４、６４の入口部６５、６５に、２対のピン５２、５２を嵌め込む。」との記載、及び【図２】の記載に基づいて、
　そして、同上「前記支管部の他端側から前記内筒の一端部を差し込むとともに、前記固定具の前記入口部に前記内筒の前記ピンを嵌め込んで、前記引っ掛け部を前記本管の内周面の下方に設定し、前記締め付け輪を回動させて前記内筒を他端側に変位させることで、前記係合面に対し前記ピンを前記軸方向に摺動させ、前記ピンを前記スライド部に嵌め込む」は、同上段落【００１８】の「この際に、引っ掛け部６２、６２は、本管１０の内周面１５の下方に設定される。（ニ）締め付け輪４を回転させて、締め付ける。これにより、２対のピン５２、５２は、係合凹所６４、６４のスライド部６６、６６に嵌まり込む。」の記載に基づいて、それぞれ、接続部材の構成を限定しようとするものである。
　
　また、訂正事項Ｃにおいて、「係合部材」を同上段落【００１４】の「係合部材として、・・・ピン５２、５２からなる」との記載に基づいて「ピン」に、「係合凹所」を、同上段落【００１６】の「係合凹所６４は、縦板部６１の外壁面に連通した入口部６５および上方に延長し係合面を有するスライド部６６からなる逆Ｌ字断面形状を呈する。」の記載及び【図２】の記載に基づいて、「前記縦板部の外壁面及び側面に開口する入り口部と、この入り口部から他端側に延びるとともに、前記縦板部の側面に開口するスライド部とからなり、前記縦板部の側面にＬ字状に開口」する構造に限定するものである。
　このように、訂正事項Ｃは、特許明細書の記載及び図面の記載に基づいて、接続部材の構造を限定しようとするものであって、特許請求の範囲の減縮を目的とするものである。
　　
［訂正事項Ｄについて］
　訂正事項Ｄは、同上段落【００１４】、【００２３】及び【図９】の記載に基づき、「被係合部」の構成を限定するものであり、特許請求の範囲の減縮を目的とするものである。
　　
［訂正事項Ｅについて］
　訂正事項Ｅは、同上段落【００１５】の「固定具６は、係合部であって縦溝５１に嵌まり込む縦板部６１と、」の記載、及び【図２】、【図９】の記載に基づいて係合部の構成を限定するものであり、特許請求の範囲の減縮を目的とするものである
　　
［訂正事項Ｆについて］
　訂正事項Ｆの「前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、」は、同上段落【００１６】の「係合部たる縦板部６１の両側面６３、６３には、中間部および下端部に、内筒３の軸方向に摺動する係合部材である２対のピン５２、５２に対応して、」の記載及び【図２】、【図９】の記載に基づいて、
　また、同上「前記縦板部の両側面には、それぞれ、前記２本のピンの位置に対応するように２つの係合凹所が形成され、それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、前記スライド部は、前記軸方向を向いた係合面を有し、」は、同上段落【００１８】の「内筒３の下端部３１を支管部２１に差し込むとともに、係合凹所６４、６４の入口部６５、６５に、２対のピン５２、５２を嵌め込む。」との記載、段落【００２３】の「図９は第５実施例を示す。」及び【図２】、【図９】の記載に基づいて、
　さらに、同上「前記本管の開口（の外周縁部に前記フランジの鍔部を当接させておき）、前記支管部の他端側から前記内筒の一端部を差し込むとともに、前記固定具の前記入口部に前記内筒の前記ピンを嵌め込んで、（まず前記固定引っ掛け部を前記本管の内周面に引っ掛け、つぎに前記固定具の引っ掛け部を前記本管の内周面に引っ掛け、前記締め付け輪を回動させて前記内筒を他端側に変位させる）ことで、前記係合面に対し前記ピンを前記スライド部に嵌め込む」は、段落【００１８】、【００２３】の記載に基づいて、接続構造を限定するものである。
　　
　このように、訂正事項Ｆは、特許明細書の記載及び図面の記載に基づき、接続部材の構成並びに関連構成を限定しようとするものであって、特許請求の範囲の減縮を目的とするものである。
　　
　また、訂正事項Ｈ〜訂正事項Ｙは、特許請求の範囲に係る訂正である訂正事項Ａ〜Ｇの訂正に伴い、特許請求の範囲の記載との整合を図るためにするものであって、明りょうでない記載の釈明を目的とするものである。
　　
（２）新規事項の有無、拡張・変更の存否
　上記のとおり、訂正事項Ａ〜Ｇは、特許明細書又は図面の記載に基づき、それらの範囲内において、特許請求の範囲の減縮を目的とし、訂正事項Ｈ〜Ｘは、明りょうでない記載の釈明を目的とするものである。
　　
　そして、訂正事項Ａ〜Ｆ、Ｈ〜Ｙにより、特許請求の範囲を実質上拡張し、又は変更するものでもない。
　　　
（３）独立特許要件
　
　そこで、訂正後の請求項１、２に係る発明が、特許出願の際独立して特許を受けることができるものであるか検討する。
　　　
Ａ　訂正発明
　本件訂正により、特許請求の範囲の請求項１、２に係る発明は、その特許請求の範囲に記載された次の事項により特定されるものである（以下「訂正発明１」、「訂正発明２」という。）。
　　
訂正発明１
「本管に形成された開口に分岐管を接続するための接続装置であって、
支管部および該支管部の一端部の外周に形成された鍔部からなるフランジと、内壁に背向して形成される２つの縦溝が設けられ、一端部が前記支管部に差し込まれる内筒と、
　一端に前記本管の内周面に引っ掛かる引っ掛け部が形成され、他端に前記縦溝に嵌まり込む縦板部が設けられた２つの固定具と、
　前記内筒の外周に螺合され、回動により前記内筒を他端側に変位させる締め付け輪とを備え、
　前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、
　前記縦板部の両側面には、それぞれ、前記２本のピンの位置に対応するように２つの係合凹所が形成され、
　それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、
　前記スライド部は、前記軸方向を向いた係合面を有し、
　前記本管の開口の外周縁部に前記フランジの鍔部を当接させておき、
　前記支管部の他端側から前記内筒の一端部を差し込むとともに、前記固定具の前記入口部に前記内筒の前記ピンを嵌め込んで、前記引っ掛け部を前記本管の内周面の下方に設定し、
　前記締め付け輪を回動させて前記内筒を他端側に変位させることで、前記係合面に対し前記ピンを前記軸方向に摺動させ、前記ピンを前記スライド部に嵌め込むことを特ちょいとする分岐管の接続装置。」
　　　
訂正発明２
「本管に形成された開口に分岐管を接続するための接続装置であって、
支管部および該支管部の一端部の外周に形成された鍔部からなるフランジと、内壁に縦溝が設けられ、一端部が前記支管部に差し込まれる内筒と、
該内筒の一端部に形成され、前記本管の内周面に引っ掛かる固定引っ掛け部と、
　一端に前記本管の内周面に引っ掛かる引っ掛け部が形成され、他端に前記縦溝に嵌まり込む縦板部が設けられた２つの固定具と、
　前記内筒の外周に螺合され、回動により前記内筒を他端側に変位させる締め付け輪とを備え、
　前記縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、
　前記縦板部の両側面には、それぞれ、前記２本のピンの位置に対応するように２つの係合凹所が形成され、
　それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、
　前記スライド部は、前記軸方向を向いた係合面を有し、
　前記本管の開口の外周縁部に前記フランジの鍔部を当接させておき、
　前記支管部の他端側から前記内筒の一端部を差し込むとともに、前記固定具の前記入口部に前記内筒の前記ピンを嵌め込んで、まず前記固定引っ掛け部を前記本管の内周面に引っ掛け、つぎに前記固定具の引っ掛け部を前記本管の内周面に引っ掛け、
　前記締め付け輪を回動させて前記内筒を他端側に変位させることで、前記係合面に対し前記ピンを前記軸方向に摺動させ、前記ピンを前記スライド部に嵌め込むことを特徴とする分岐管の接続装置。」
　　
Ｂ　容易想到性についての判断　
　本件特許に係る無効審判（無効２００６−８０２６１号）において提示された刊行物は、以下のとおりである。
　　
ａ　特開平８−１４４６７号公報
ｂ　実願平４−７５９５１号（実開平６−４０５７８号）のＣＤ−ＲＯＭ
　　
　まず、訂正発明１についてみると、訂正発明１の発明特定事項の内、少なくとも、
「縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、
　前記縦板部の両側面には、それぞれ、前記２本のピンの位置に対応するように２つの係合凹所が形成され」、及び「それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し」との事項について、刊行物ａ、ｂのいずれにも記載はなく、示唆もない。
　
　そして、訂正発明１は、前記発明特定事項を具備することにより、明細書記載の効果を奏するものである。
　　
　そうすると、訂正発明１は、刊行物ａ又はｂに基づいて、当業者が容易に発明をすることができたものとはいえない。
　　　　
　次に、訂正発明２についてみると、訂正発明２の発明特定事項の内、少なくとも
「縦溝の両側壁には、それぞれ、前記内筒の軸方向に並ぶように２本のピンが周方向に突設され、一方の側壁に突設されたピンと他方の側壁に突設されたピンとが互いに対向して、前記軸方向に２段の対をなし、」及び
「前記縦板部の両側面には、それぞれ、前記２本のピンの位置に対応するように２つの係合凹所が形成され、
　それぞれの係合凹所は、前記縦板部の外壁面及び側面に開口する入り口部と、この入り口部から他端側に延びるとともに、前記縦板部の側面に開口するスライド部とからなり、前記縦板部の側面にＬ字状に開口し、」との事項につき、刊行物ａ、ｂのいずれにも記載はなく、示唆もない。
　
　そして、訂正発明２は、前記発明特定事項を具備することにより、明細書記載の効果を奏するものである。
　　
　そうすると、訂正発明２は、刊行物ａ又はｂに基づいて、当業者が容易に発明をすることができたものとはいえない。
　　
　以上のとおり、訂正発明１、訂正発明２は、刊行物ａ、刊行物ｂの記載から当業者が容易に発明をすることができたものとはいえない。
　　
Ｃ　明細書の記載不備について
ａ　同様に、無効事件において、請求人が、明細書段落【００１４】〜【００１８】の記載において、特許発明が、当業者が実施できる程度に記載されておらず特許法第３６条第４項の規定に違反しているとの主張について検討する。
　　
　上記主張は、「支軸６７」を「軸溝５３」に引っ掛けておくことを前提とした主張となっているところ、本件訂正により、訂正発明１、訂正発明２は、前記事項を具備しないものとなったことから、当該発明を当業者が実施することができる程度に明確かつ十分に記載しなければならないとする特許法第３６条第４項の規定する要件に違反しないものとなった。
　　　
ｂ　同上、本件訂正前の請求項１の「前記被係合部に前記係合部を係合させた前記複数の固定具を有する」および本件訂正前の請求項２の「前記被係合部に前記係合部を係合させた前記固定具を有する」の記載は、「係合」の状態が不明確であり、特許を受けようとする発明は、不明確であるから、特許法第３６条第６項第２号に違反する旨の主張について検討する。
　上記主張については、「被係合部」、「係合部」の内容が特定されておらず、全体構成が不明瞭となっていたところ、本件訂正により、これらについての限定がなされ、明りょうとなったものであるから、上記違反は、解消されるものとなった。
　　
ｃ　さらに、当審において通知した無効理由である「係合部」の構成についても、本件訂正により、限定が付されたことから、関連構成は、明りょうなものとなった。
　　
（４）まとめ
　以上のとおりであるから、訂正発明１、訂正発明２は、特許出願の際独立して特許を受けることができないということはできない。
　　　
４．むすび
　以上のとおりであるから、本件訂正は、特許法第１２６条第１項第１号及び第３号に掲げる事項を目的とし、かつ、同条第３項、第４項及び第５項に規定する要件に適合するので、当該訂正を認める。
　　　
　よって、結論のとおり審決する。